(57)【特許請求の範囲】
【請求項１】
方形状枠体（１）と、その枠体の内側に刻設された取付け溝（８）を介して着脱自在に取り付けられた裏板（２）と、該裏板上面に配置された画像担持シート（１０）とを含む額縁において、
（Ａ）該裏板（２）の中央部に一辺又は対向する二辺に接して１個又は２個の線状光源（４）を備えた方形面発光体（３）を固設し、その縁辺部にインバータ（６）及びコンバータ（５）を直列に配置し、これらの線形光源（４）とインバータ（６）とコンバータ（５）と枠体（１）の適所に付設されたソケット部（７）との間で回路を形成させること、
（Ｂ）該方形面発光体（３）を導光板（３ａ）の表側に拡散シート（３ｂ）を、裏側に反射シート（３ｃ）を積層した構造とし、その一方の面に面輝度が均一になるようにグラデーションを付したドットパターンを設けるとともに、その周縁に光吸収性枠を配置すること、及び
（Ｃ）該画像担持シートを透明材料で構成し、かつ２枚の透明シートからなるホルダー（１１）に挟持させ、枠体（１）の内側に上記取付け溝（８）と平行に刻設された嵌合溝（９）を介して変換自在に上記面発光体（３）の面に接して配置すること
を特徴とする背面照射型額縁。
【請求項２】
基板の背面に壁面固定具を設けて壁掛け用とした請求項１記載の額縁。
【請求項３】
枠体の下部に直立用支持具を設けてスタンド用とした請求項１記載の額縁。
【発明の詳細な説明】
【０００１】
【発明の属する技術分野】
本発明は、背面照射により画面を鮮明に浮き上がらせ、展示効果を向上させるために用いる額縁に関するものである。
【０００２】
【従来の技術】
これまで、絵画、写真等の芸術作品を展示する際には、通常それらの作品を額縁に収容し、壁面や仕切り板に懸架して陳列する方式がとられている。
しかしながら、このような方式では、観客は表面から入射する光の散乱により作品を観察するため、画面が暗くなるのを免れない。
【０００３】
一方、広告装置としては、背面から光を照射して広告用フィルムに描かれた絵柄を、表面側に浮かび上がらせる方式が知られているが、この方式により背後から照射して画面を均一に浮かび上がるようにするには、画面からかなり離れた位置に光源を配置しなければならないため、全体として厚みの小さい額縁に適用することはむずかしい。
【０００４】
【発明が解決しようとする課題】
本発明は、このような事情のもとで、背面照射により画面を鮮明に浮き上がらせることができ、しかも通常の額縁とほとんど変わらない厚さを有する新規な額縁を提供することを目的としてなされたものである。
【０００５】
【課題を解決するための手段】
本発明者は、絵画、写真等を展示するのに使用するための額縁について種々検討した結果、通常使用されている額縁に、線状光源とそれを一辺に接した面発光体を固定した裏板を付設し、その面発光体の面上に２枚の透明シートからなるホルダーに挟持した画像担持シートを変換自在に配置すれば、背面照射により所望の画面を鮮明に浮き上がらせうることを見出し、この知見に基づいて本発明をなすに至った。
【０００６】
すなわち、本発明は、方形状枠体（１）と、その枠体の内側に刻設された取付け溝（８）を介して着脱自在に取り付けられた裏板（２）と、該裏板上面に配置された画像担持シート（１０）とを含む額縁において、
（Ａ）該裏板（２）の中央部に一辺又は対向する二辺に接して１個又は２個の線状光源（４）を備えた方形面発光体（３）を固設し、その縁辺部にインバータ（６）及びコンバータ（５）を直列に配置し、これらの線形光源（４）とインバータ（６）とコンバータ（５）と枠体（１）の適所に付設されたソケット部（７）との間で回路を形成させること、
（Ｂ）該方形面発光体（３）を導光板（３ａ）の表側に拡散シート（３ｂ）を、裏側に反射シート（３ｃ）を積層した構造とし、その一方の面に面輝度が均一になるようにグラデーションを付したドットパターンを設けるとともに、その周縁に光吸収性枠を配置すること、及び
（Ｃ）該画像担持シートを透明材料で構成し、かつ２枚の透明シートからなるホルダー（１１）に挟持させ、枠体（１）の内側に上記取付け溝（８）と平行に刻設された嵌合溝（９）を介して変換自在に上記面発光体（３）の面に接して配置すること
を特徴とする背面照射型額縁を提供するものである。
【０００７】
【発明の実施の形態】
次に添付図面に従って、本発明を詳細に説明する。
図１は本発明の額縁の１例の各部材を示す斜視図、図２は裏面とそれに付随する各部材の配置状態を示す平面図である。
本発明の額縁は、枠体１と裏板２とから構成されている。この枠体１は通常の額縁と同様に４本の枠材を方形に組み合わせて形成されるが、その中の１本は図１に示すように取りはずし可能とし、２枚の透明シートからなるホルダー１１に挟持した画像担持透光シート１０の嵌入が容易に行われるようにするのが好ましい。この枠体１の材質は、金属、木材、プラスチックス、ガラス、陶質、厚紙など従来の額縁材料として慣用されているものの中から任意に選ぶことができる。この枠体１には、所望に応じ着色することもできるし、美観を向上させるために彫刻を施すこともできる。
この枠体１の一部を取りはずし可能に構成する場合、取りはずしされる枠材は、差し込み法、蝶番法などによって取り付けられる。
この枠体１には、裏板２の取付け溝８及び２枚の透明シートからなるホルダー１１に挟持した画像担持透光シート１０の嵌合溝９が設けられている。
【０００８】
本発明の額縁において付設される裏板２の材質も、上記の枠体１と同様のものを用いることができる。このものは、透明材料であっても不透明材料であってもよい。
本発明においては、この裏板２の中央部に面発光体３を配置し、その方形面発光体３の一辺又は対向する二辺に接して線状光源、例えばケイ光灯４を備えていることが必要である。
【０００９】
図３は、面発光体３とそれに接するケイ光灯４との関係を示す断面図であり、面発光体３は、導光板３ａとその一方の面に積層された拡散シート３ｂと反対側の面に積層された反射シート３ｃとからなっている。導光板３ａの一方の面、すなわち反射シート３ｃが積層されている面は、特殊印刷方式又はエッチング方式により乱反射面に形成されている。
この導光板３ａと拡散シート３ｂ、導光板３ａと反射シート３ｃとの積層は、接着剤による接着、高周波による溶着、重ね合わせて機械的に固定する方法などによって行われる。
【００１０】
導光板３ａとしては、ポリエチレン、ポリプロピレン、ポリ塩化ビニルのような透明プラスチックからなる樹脂板が用いられるが、透光性が優れている点でアクリル樹脂、例えばポリメタアクリル酸メチル板、メタクリル酸メチルとメタクリル酸との共重合体などの板を用いるのが好ましい。この導光板の厚さは、通常２〜２０ｍｍ、好ましくは５〜１０ｍｍの範囲である。この導光板３ａの一方の面には、グラデーションを付したドットパターンが印刷又はエッチングされ、乱反射面が形成されている。このドットパターンは、面発光体３として作用させるために、導光板３ａの一側面又は対向二側面から、線状光源４により光が投射されたときに面輝度が均一になるようにグラデーションが付されている。
【００１１】
次に、この乱反射面に積層される反射シート３ｃは、導光板３ａを経由して伝達される光を面垂直方向に反射する作用を行うもので、ポリエステル樹脂、ポリカーボネート樹脂、アクリル樹脂のような透明樹脂からなっている。この反射シート３ｃの厚さは、通常５０〜２５０μｍ、好ましくは７５〜２００μｍの範囲である。
【００１２】
また、導光板３ａの反射シート３ｃとは反対の面に積層される拡散シート３ｂは、導光板３ａを介して伝達され、反射シート３ｃにより反射された光を、導光板表面から垂直方向に放射する役割を果すもので、ポリエステル樹脂、ポリカーボネート樹脂、アクリル樹脂のような透明樹脂からなっている。この拡散シート３ｂの厚さは、通常５０〜３５０μｍ、好ましくは１００〜２００μｍである。
【００１３】
この面発光体３は、これを発光させる場合、その周縁部分から照射光が漏洩し、内側部分との間に輝度の差を生じる結果、画面が不均一になるので、周縁部分に、光吸収性枠を配置する。この光吸収性枠は、灰色ないし黒色の着色を反射シート３ｃの周縁部分に印刷するか、あるいは別に設けた灰色ないし黒色の枠体を反射シート３ｃに重ね合わせることにより設けられる。
【００１４】
本発明における面発光体３は、上記のように構成された導光板積層体の一側面又は対向二側面に配置された線状光源４、例えば管状ケイ光灯を有している。
この線状光源４として管状ケイ光灯を用いるとき、このケイ光灯は、熱陰極型でも冷陰極型でもよいが、前者の場合は１００〜２００Ｖ、後者の場合は６００Ｖ以上で用いられる。
【００１５】
裏板２の縁辺部には、面発光体３に電力を供給するためのコンバータ５及びインバータ６が直列に配置され、電源から電力を入力するためのソケット７及び線状光源４との間に導線による回路が形成されている
【００１６】
本発明の額縁は、画像担持透光シート１０を、２枚の透明シートからなるホルダー１１に挟持し、枠体１の嵌合溝９に嵌入し、面発光体３に装着して用いる。図４は、この透明シート製ホルダー１１の使用状態を示す斜視図である。この透明シート製ホルダー１１は、ポリエチレン、ポリプロピレン、ポリエステル、ポリカーボネート、ポリ塩化ビニルなどの透明なプラスチックで作られている。このものは、１枚のシートを縦二つ折り又は横二つ折りとして作成するのが好ましいが、所望ならば２枚のシートをその一辺又は二辺で接着して作成してもよい。また、１枚のシートのＴ側縁を開放し、三側縁を内側に折り曲げて保持部を形成したものでもよい。
前記裏板の取付け溝８及び上記嵌合溝９の寸法、すなわち幅、深さは、裏板の寸法及び使用される画像担持透光シート１０又は透明シート製ホルダー１１の寸法に依存するが、通常、取付け溝８は幅５〜１５ｍｍ、深さ５〜１５ｍｍ、嵌合溝９は幅２〜１０ｍｍ、深さ３〜１５ｍｍである。
【００１７】
本発明の額縁においては、所望に応じ画像担持透光シート１０又は透明シート製ホルダー１１の表面にさらに透明被覆板を配設する構造にすることもできるし、それらの上にさらに帯電防止板を配置することもできるが、透明被覆板又は前記の透明シート製ホルダー１１に帯電防止性を付与し、帯電防止板を兼用させるのが有利である。この際、帯電防止性の付与は、通常プラスチックに慣用されている帯電防止剤、例えば第四級アンモニウム化合物やピリジン誘導体のような陽イオン界面活性剤、オレフィン硫酸エステルやアルキルベンゼンスルホン酸エステルのような陰イオン界面活性剤、多価アルコール部分脂肪酸エステルや脂肪アルコール又は脂肪酸エステルのエチレンオキシド付加物のような非イオン界面活性剤、ベタイン型カルボン酸誘導体やイミダゾリン誘導体のような両性界面活性剤を添加することによって行われるが、そのほか導電体と接触させてアースとする、紫外線、Ｘ線のような放射線を照射する、透明被覆板や透明シート製ホルダー１１の形成材料として帯電性を有するプラスチックを用いるなどによって行うこともできる。
図５は、本発明の枠体１の構造を示すための断面図であって、８は裏板２を取り付けるための取付け溝、９は２枚の透明シートからなるホルダー１１に挟持された画像担持透光シート１０及び所望により用いられる透明被覆板を取り付けるための嵌合溝である。
【００１８】
また、本発明の額縁においては、画像の劣化防止及び鮮明度の向上のために、面発光体３又は透明シート製ホルダー１１あるいはその両方に紫外線吸収層を設けるのが好ましい。この紫外線吸収層は、面発光体３に設ける場合は、それを構成する導光板３ａの乱反射面に、また透明シート製ホルダー１１に設ける場合には、そのホルダーを構成するシートの上表面にそれぞれ紫外線吸収剤を含有する塗布液をコーティングし、乾燥して、厚さ０．０５〜０．２ｍｍの塗膜を形成させることによって行われる。
【００１９】
この際の紫外線吸収剤としては、ベンゾフェノン系、サリチレート系、ベンゾトリアゾール系、アクリロニトリル系又は金属錯塩系のプラスチックの紫外線防止剤として慣用されているものを用いることができるが、特に含フッ素系のものが好適である。
【００２０】
本発明の額縁は、裏板２の背面に壁面固定具を取り付けて、絵画、写真等の展示用壁掛け額縁として、あるいは直立用支持具を取り付けて、葬儀用遺影額縁として用いるのに好適である。
【００２１】
【発明の効果】
本発明の額縁を用いると、バックライト方式により絵画や写真等を鮮明に浮き出させることができるので、美術展の作品や葬儀用の遺影を強く印象づけて陳列することができる。
【図面の簡単な説明】
【図１】  本発明の額縁の１例の構造を示す斜視図。
【図２】  本発明の額縁の裏板を示す平面図。
【図３】  本発明の額縁の面発光体の主要部を示す側面図。
【図４】  透明シート製ホルダーの使用状態を示す斜視図。
【図５】  本発明の額縁の枠体の断面図。
【符号の説明】
１  枠体
２  裏板
３  面発光体
４  線状光源
５  コンバータ
６  インバータ
７  入力用ソケット
８  裏板取付け溝
９  嵌合溝
１０  画像担持透光シート
１１  透明シート製ホルダー
【図１】
0003692295.tif 000002
【図２】
0003692295.tif 000003
【図３】
0003692295.tif 000004
【図４】
0003692295.tif 000005
【図５】
0003692295.tif 000006